(57)【要約】【課題】便器を設置した場所の室温が低い場合であっても、便蓋の裏面に結露が発生することを抑制した便器を提供すること。【解決手段】本発明の便器１は、水が溜められるボウル部２と、ヒータ３を備えた便座４と、便蓋５と、を備えた便器１において、ボウル部２に溜まった水の温度を検出する水温センサ６と、便蓋５の温度を検出する温度センサ７と、水温センサ６の検出温度が温度センサ７の検出温度より所定の値Ｔ１以上高い場合にヒータ３を昇温制御する制御部８と、を備える。または、上述した構成の便器１において、制御部８は、水温センサ６の検出温度が温度センサ７の検出温度より所定の値Ｔ１以上高い場合にボウル部２に溜まった水を一旦排水してボウル部２に再度給水する制御を行う。【選択図】図１
2012067577.tif 000002
【特許請求の範囲】
【請求項１】
水が溜められるボウル部と、ヒータを備えた便座と、便蓋と、を備えた便器において、
前記ボウル部に溜まった水の温度を検出する水温センサと、
前記便蓋の温度を検出する温度センサと、
前記水温センサで検出した温度が前記温度センサで検出した温度より所定の値以上高い場合に前記ヒータを昇温制御する制御部と、
を備えることを特徴とする便器。
【請求項２】
水が溜められるボウル部と、ヒータを備えた便座と、便蓋と、を備えた便器において、
前記ボウル部に溜まった水の温度を検出する水温センサと、
前記便器を設置した場所の室温を検出する室温センサと、
前記水温センサで検出した温度が前記室温センサで検出した温度より所定の値以上高い場合に前記ヒータを昇温制御する制御部と、
を備えることを特徴とする便器。
【請求項３】
前記ヒータは、検知加熱式ヒータであることを特徴とする請求項１又は２に記載の便器。
【請求項４】
水が溜められるボウル部と、ヒータを備えた便座と、便蓋と、を備えた便器において、
前記ボウル部に溜まった水の温度を検出する水温センサと、
前記便蓋の温度を検出する温度センサと、
前記水温センサで検出した温度が前記温度センサで検出した温度より所定の値以上高い場合に前記ボウル部に溜まった水を一旦排水して前記ボウル部に再度給水する制御を行う制御部と、を備えることを特徴とする便器。
【請求項５】
水が溜められるボウル部と、ヒータを備えた便座と、便蓋と、を備えた便器において、
前記ボウル部に溜まった水の温度を検出する水温センサと、
前記便器を設置した場所の室温を検出する室温センサと、
前記水温センサで検出した温度が前記室温センサで検出した温度より所定の値以上高い場合に前記ボウル部に溜まった水を一旦排水して前記ボウル部に再度給水する制御を行う制御部と、を備えることを特徴とする便器。
【請求項６】
前記水温センサは、前記ボウル部の裏面に設けられていることを特徴とする請求項１〜５のいずれかに記載の便器。
【発明の詳細な説明】
【技術分野】
【０００１】
本発明は、便蓋に結露が発生することを抑制した便器に関するものである。
【背景技術】
【０００２】
従来から、寒冷地などに設置される便器として、図３に示すような、ボウル部２に溜めた水を加温する凍結防止用ヒータ９を備えた便器１が提案されている（特許文献１参照）。
【０００３】
この便器１は、ボウル部２と、便座（図示せず）と、便蓋（図示せず）とで主体が構成され、さらに、ボウル部２に溜めた水の温度を検出する水温センサ６を備えている。
【０００４】
この便器１は、設置した場所の室温が低い場合に、ボウル部２に溜めた水の温度が低下していき、この水温が所定の値以下になったことを水温センサ６が検出した際に、凍結防止用ヒータ９を駆動し、溜めた水の凍結を防止するものである。
【先行技術文献】
【特許文献】
【０００５】
【特許文献１】特開平６−２９９５８４号公報
【発明の概要】
【発明が解決しようとする課題】
【０００６】
上記構成の便器１は、便蓋が閉じられた状態で凍結防止用ヒータ９を駆動し、ボウル部２に溜めた水を温めていくと、この溜めた水の上方の空間（溜めた水の喫水面から便蓋までの空間）の温度が、便器１を設置した場所の室温よりも大幅に高くなる場合がある。その場合、凍結防止用ヒータ９を停止すると、便器１を設置した場所の冷たい空気によって便蓋が徐々に冷やされ、この便蓋の裏面（下面）に結露が発生し、この結露によって便座の座面が濡れてしまうという問題があった。
【０００７】
また、このような凍結防止用ヒータを備えない便器であっても、便器を設置した場所の室温が低く、ボウル部に供給する水の温度が高い場合等には、同様に便蓋の裏面（下面）に結露が発生し、この結露によって便座の座面が濡れてしまうという問題があった。
【０００８】
そこで、本発明は、便器を設置した場所の室温が低い場合であっても、便蓋の裏面に結露が発生することを抑制した便器を提供することを課題とする。
【課題を解決するための手段】
【０００９】
上記課題を解決するための本発明の便器は、水が溜められるボウル部と、ヒータを備えた便座と、便蓋と、を備えた便器において、前記ボウル部に溜まった水の温度を検出する水温センサと、前記便蓋の温度を検出する温度センサと、前記水温センサで検出した温度が前記温度センサで検出した温度より所定の値以上高い場合に前記ヒータを昇温制御する制御部と、を備えることを特徴とする。
【００１０】
また、上記課題を解決するための本発明の便器は、水が溜められるボウル部と、ヒータを備えた便座と、便蓋と、を備えた便器において、前記ボウル部に溜まった水の温度を検出する水温センサと、前記便器を設置した場所の室温を検出する室温センサと、前記水温センサで検出した温度が前記室温センサで検出した温度より所定の値以上高い場合に前記ヒータを昇温制御する制御部と、を備えることを特徴とする。
【００１１】
また、前記ヒータは、検知加熱式ヒータであることが好ましい。
【００１２】
また、上記課題を解決するための本発明の便器は、水が溜められるボウル部と、ヒータを備えた便座と、便蓋と、を備えた便器において、前記ボウル部に溜まった水の温度を検出する水温センサと、前記便蓋の温度を検出する温度センサと、前記水温センサで検出した温度が前記温度センサで検出した温度より所定の値以上高い場合に前記ボウル部に溜まった水を一旦排水して前記ボウル部に再度給水する制御を行う制御部と、を備えることを特徴とする。
【００１３】
また、上記課題を解決するための本発明の便器は、水が溜められるボウル部と、ヒータを備えた便座と、便蓋と、を備えた便器において、前記ボウル部に溜まった水の温度を検出する水温センサと、前記便器を設置した場所の室温を検出する室温センサと、前記水温センサで検出した温度が前記室温センサで検出した温度より所定の値以上高い場合に前記ボウル部に溜まった水を一旦排水して前記ボウル部に再度給水する制御を行う制御部と、を備えることを特徴とする。
【００１４】
また、前記水温センサは、前記ボウル部の裏面に設けられていることが好ましい。
【発明の効果】
【００１５】
本発明の便器は、設置した場所の室温が低い場合であっても、便蓋の裏面に結露が発生することを抑制できる。
【図面の簡単な説明】
【００１６】
【図１】本発明の第一の実施形態の便器を示し、（ａ）は側面断面図であり、（ｂ）は斜視図である。
【図２】本発明の第二の実施形態の便器の状態変化のサイクルを示すフローチャートである。
【図３】従来の便器の側面断面図を示す。
【発明を実施するための形態】
【００１７】
以下、本発明の実施形態の一例を添付図面に基づいて説明する。
【００１８】
第一の実施形態の便器１は、図１（ｂ）に示すように、水が溜められるボウル部２と、このボウル部２上に載置される便座４と、ボウル部２に載置された便座４を上方から隠蔽する便蓋５とから、主体が構成される。便器１は、ボウル部２を有する便器本体の上部に、便座４と便蓋５とが回動自在に取り付けられたものである。便器１は、便器本体が床面に設置される。なお、ボウル部２、便座４、及び便蓋５は、樹脂で形成されている。
【００１９】
便座４には、便座４を温めるため専用の便座加温用ヒータ３が内蔵されている。便座加温用ヒータ３は、外部のリモコン（図示せず）を操作することで、便座４を使用者の好みの便座温度に温めるように設定できる。なお、この便座温度は、使用者が外部のリモコンで操作するのではなく、便器１が設置された場所の室温に対応して、自動的に設定されるようなものであってもかまわない。
【００２０】
便座加温用ヒータ３は、検知加熱式のものである。つまり、便座加温用ヒータ３は、便器１に使用者が近づくと、感知センサ（図示せず）が感知して、便座４を加熱し、便器１から使用者が離れると、感知センサ（図示せず）が感知して、便座４の加熱を自動的に停止するものである。ここで、この便座加温用ヒータ３は、使用者を検知してから使用者が便座４に着座するまでの短い時間で、設定した便座温度まで便座４を加温できるものであることが好ましい。
【００２１】
ボウル部２の水が溜められる部分の裏側には、図１（ａ）及び図１（ｂ）に示すように、溜めた水を温めるため専用の凍結防止用ヒータ９が設けられている。凍結防止用ヒータ９は面状に設けていて、ボウル部２の水が溜められる部分の裏側の略全面を覆っている。
【００２２】
この凍結防止用ヒータ９の裏側（ボウル部２側の反対側）は全体に亘って断熱材１０及び防露材１１で覆われている。そのため、凍結防止用ヒータ９の熱は、凍結防止用ヒータ９の裏側には伝達しにくく、ボウル部２を介してボウル部２に溜めた水に伝達しやすいようになっている。また、この断熱材１０及び防露材１１によって、凍結防止用ヒータ９の熱が凍結防止用ヒータ９の裏側にある便器１の他の構成を温めることを抑制して、この他の構成に結露が発生することを防止している。
【００２３】
また、図１（ａ）に示すように、ボウル部２の水が溜められる部分の裏面には、ボウル部２を介して溜めた水の温度を間接的に検出する水温センサ６が設けられている。ここで、ボウル部２は樹脂で形成するため薄くできるので、ボウル部２の裏面に設けた水温センサ６は、ボウル部２に溜めた水の温度を正確に検出することができる。
【００２４】
また、図１（ｂ）に示すように、便蓋５の裏面（便蓋５を閉じた際の下面）には、便蓋５の裏面の温度を検出する温度センサ７が設けられている。また、ボウル部２を有する便器本体の後部上部外面には、便器１を設置した場所の室温を検出する室温センサ７０が設けられている。なお、室温センサ７０は、便座４に内蔵された便座加温用ヒータ３やボウル部２の裏側に設けた凍結防止用ヒータ９の熱が伝わり難い部分であって、便器１を設置した場所の室温を正確に検出できる部分であれば、他の部分に設けてもかまわない。
【００２５】
便器１には、さらに、水温センサ６で検出した温度が温度センサ７で検出した温度よりも所定の値Ｔ１以上高い場合、便座加温用ヒータ３を昇温することで、便座４の便座温度を水温センサ６で検出した温度よりも所定の値Ｔ３以上高い温度となるように昇温制御する制御部８を設けている。なお、温度センサ７で検出する温度を、室温センサ７０で間接的に検出するようにして、制御部８を、水温センサ６で検出した温度が室温センサ７０で検出した温度よりも所定の値Ｔ２以上高い場合に、同様の昇温制御をするように設定してもよい。この場合通常は、所定の値Ｔ２（℃）＝所定の値Ｔ１（℃）＋温度センサ７の検出温度（℃）−室温センサ７０の検出温度（℃）となる。また、制御部８は、便器１内にある他の制御手段（便座４を設定温度に加温する制御部等）に組み込んである。なお、制御部８は、他の制御手段とは別に便器１内に単体で設けてもかまわない。
【００２６】
ここで、上述した所定の値Ｔ１，Ｔ２，Ｔ３は、以下の模擬実験の実験結果から設定される。
【００２７】
実験の条件としては、室温が−５℃の恒温槽に便器１を設置し、ボウル部２の溜め水を凍結防止用ヒータ９で温める。ここで、制御部８は昇温制御しない状態としておく。そして、便座４の便座温度を１８℃、２６℃、３１℃にそれぞれ設定し、上記環境下で、便座４及び便蓋５を閉じた状態で１６時間放置し、１６時間後、便蓋５の裏面に付着した結露水の量を計測する。計測結果は以下のようになった。
【００２８】
【表１】
2012067577.tif 000003
【００２９】
実験結果から、便座４の便座温度が溜め水温度と同程度のパターンＡでは、結露水は２．１ｇ発生し、溜め水の温度より１０℃以上便座４の便座温度が高いパターンＢ，Ｃでは、ほぼ０ｇに結露の発生を抑えられている。
【００３０】
つまり、本実施形態の便器１においては、溜め水の温度が便蓋５の裏面の温度よりも約１２℃以上高い場合に、便座４の便座温度を溜め水の温度より１０℃以上高くなるように便座加温用ヒータ３を昇温することで、便蓋５の裏面への結露の発生を抑制できる。なお、溜め水の温度が便蓋５の裏面の温度よりも約１２℃以上高い場合とは、溜め水の温度が便器１を設置した場所の室温よりも約２０℃以上高い場合に相当している。
【００３１】
以上の実験結果から、所定の値Ｔ１，Ｔ２，Ｔ３は、それぞれ、Ｔ１＝約１２℃，Ｔ２＝約２０℃，Ｔ３＝約１０℃となる。よって、本実施形態の便器１においては、制御部８を、水温センサ６の検出温度が温度センサ７の検出温度よりも約１２℃以上高い場合に、便座加温用ヒータ３を水温センサ６の検出温度よりも約１０℃以上高くなるよう昇温制御するように設定する。なお、制御部８を、水温センサ６の検出温度が室温センサ７０の検出温度よりも約２０℃以上高い場合に、同様の昇温制御をするように設定してもよい。なお、実験結果により設定された上記の所定の値（Ｔ１，Ｔ２，Ｔ３）は、上記温度に限定されず、条件が変われば、他の温度に設定される。
【００３２】
このように制御部８を設定することで、本実施形態の便器１は、制御部８がそれぞれのセンサの検出温度に応じて便座加温用ヒータ３を昇温制御して便座４を温め、間接的に便蓋５を温めることができ、便蓋５の裏面に結露が発生しないようにすることができる。
【００３３】
上述したように、本実施形態の便器１は、水が溜められるボウル部２と、ヒータ３を備えた便座４と、便蓋５と、を備えた便器１である。この便器１は、さらに、ボウル部２に溜まった水の温度を検出する水温センサ６と、便蓋５の温度を検出する温度センサ７とを備える。そして、水温センサ６で検出した温度が温度センサ７で検出した温度より所定の値Ｔ１以上高い場合に、ヒータ３を昇温制御する制御部８を備えることを特徴とする。
【００３４】
このような構成とすることで、便器１のボウル部２に溜まった水の温度が、便蓋５の温度よりも所定の値Ｔ１以上高い場合に、便座４をヒータ３で温めることで、間接的に便蓋５を温めて、溜めた水と便蓋５との温度差を低減させることができる。
【００３５】
よって、便器１を設置した場所の室温が低い場合であっても、便蓋５の温度の低下を抑えて、便蓋５の裏面に結露が発生することを抑制し、便座４の座面がその結露によって濡れてしまうことを防止できる。
【００３６】
なお、温度センサ７は結露が発生する便蓋５の温度を直接計測できるので、所定の値Ｔ１を正確に設定し、制御部８での昇温制御を効率良く行うことができる。
【００３７】
また、本実施形態の便器１は、水が溜められるボウル部２と、ヒータ３を備えた便座４と、便蓋５と、を備えた便器１である。この便器１は、さらに、ボウル部２に溜まった水の温度を検出する水温センサ６と、便器１を設置した場所の室温を検出する室温センサ７０とを備える。そして、水温センサ６で検出した温度が室温センサ７０で検出した温度より所定の値Ｔ２以上高い場合に、ヒータ３を昇温制御する制御部８を備えることを特徴とする。
【００３８】
このような構成とすることで、便器１のボウル部２に溜まった水の温度が、便器１を設置した場所の気温よりも所定の値Ｔ２以上高い場合に、便座４をヒータ３で温めることで、間接的に便蓋５を温めて、溜めた水と便蓋５との温度差を低減させることができる。
【００３９】
よって、便器１を設置した場所の室温が低い場合であっても、便蓋５の温度の低下を抑えて、便蓋５の裏面に結露が発生することを抑制し、便座４の座面がその結露によって濡れてしまうことを防止できる。
【００４０】
なお、便座４の便座温度を設定する際等に比較される室温（便器１を設置した場所の温度）を検出する室温センサ７０を用いて、便蓋５の温度を間接的に検出するようにしたことで、便蓋５の温度を検出するためだけの温度センサ７を別途設けなくてもよく、部品数を減らすことができる。
【００４１】
また、本実施形態の便器１においては、水温センサ６は、ボウル部２の裏面に設けられていることを特徴とする。
【００４２】
このような構成とすることで、水温センサ６をボウル部２の水を溜める側に設けなくてもよいので、水温センサ６が排泄物等によって汚れることがなく、破損もしにくい。そして、ボウル部２への取り付けも簡単である。
【００４３】
また、本実施形態の便器１においては、ヒータ３は、検知加熱式ヒータであることを特徴とする。
【００４４】
したがって、人を検知しない場合に便座４を加熱しないことで省エネ化を図ったうえで、溜めた水と便蓋５との温度差が開いて、便蓋５の裏面に結露が発生しそうな場合には、人を検知しない場合であっても制御部８でヒータ３を昇温制御することができる。よって、その場合であっても、便蓋５の裏面への結露の発生を抑制し、便座４の座面がその結露によって濡れてしまうことを防止できる。
【００４５】
続いて、第二の実施形態の便器１について説明する。本実施形態の便器１は、第一の実施形態の便器１とは制御部８の制御の仕方だけが異なり、第一の実施形態の便器１と同じ構成には同じ符号を付けて説明を行う。
【００４６】
本実施形態において、制御部８は、水温センサ６で検出した温度が温度センサ７で検出した温度よりも所定の値Ｔ１以上高い場合に、ボウル部２に溜まった水を一旦排水しボウル部２に再度給水する制御を行う。ここで、この再度給水する水は、その水温が排水直前のボウル部２に溜まっていた水の水温と同等またはそれより低いものとなっている。以下、この一旦排水し再度給水する制御を排水給水制御という。なお、便蓋５の裏面の温度を室温センサ７０で間接的に検出するようにして、水温センサ６で検出した温度が室温センサ７０で検出した温度よりも所定の値Ｔ２以上高い場合に、制御部８が上述の排水給水制御をするように設定してもよい。
【００４７】
上記構成の本実施形態の便器１は、以下のようなサイクル（図２参照）で状態変化を繰り返す。
【００４８】
便器１を設置した場所の冷たい空気によって便器１が徐々に冷やされ、それに伴いボウル部２に溜めた水の水温が徐々に下がる。すると、便器１に溜めた水の水温が所定の値（０℃付近）以下になったことを水温センサ６が検出する。このとき、凍結防止用ヒータ９が起動する。この凍結防止用ヒータ９によって、便器１に溜めた水の温度が上がる。ここで、水温センサ６で検出した温度が温度センサ７で検出した便蓋５の裏面の温度より所定の値Ｔ１以上高くなった場合、制御部８がボウル部２内の水を排水する制御を行う。このとき、ボウル部２内の水が排水されるとともに、ボウル部２と便座４の間の隙間や、便座４と便蓋５の間の隙間から、便器１の外部の冷たい空気がボウル部２内に引き込まれて、ボウル部２内の空気の温度及び湿度が下がる。次いで、制御部８はボウル部２内に再度水を給水する制御を行う。すると、ボウル部２内に給水された水の水温は、排水直前にボウル部２内に溜まっていた水の水温と同等またはそれよりも低くなり、水温センサ６で検出した温度と、便蓋５の温度センサ７で検出した温度との温度差が所定の値Ｔ１未満となる。
【００４９】
なお、便蓋５の裏面の温度を室温センサ７０で間接的に検出する場合も、便器１は上述したサイクルと同様の状態変化を繰り返す。
【００５０】
本実施形態の便器１は、上述したサイクルのように、ボウル部２に溜めた水の水温と便蓋５の裏面の温度の温度差を小さくできるため、便蓋５裏面への結露の発生を抑えることができる。また、ボウル部２内の空気の湿度を下げることもできるので、便蓋５裏面への結露の発生をさらに抑えることができる。
【００５１】
上述したように、本実施形態の便器１は、水が溜められるボウル部２と、ヒータ３を備えた便座４と、便蓋５と、を備えた便器１である。この便器１は、さらに、ボウル部２に溜まった水の温度を検出する水温センサ６と、便蓋５の温度を検出する温度センサ７とを備える。そして、水温センサ６で検出した温度が温度センサ７で検出した温度より所定の値Ｔ１以上高い場合に、ボウル部２に溜まった水を一旦排水しボウル部２に再度給水する制御を行う制御部８を備えることを特徴とする。
【００５２】
このような構成とすることで、便器１のボウル部２に溜まった水の温度が便蓋５の温度よりも所定の値Ｔ１以上高い場合に、制御部８でボウル部２に溜まった温かくなった水を一旦排水し、冷たい水を再度給水する制御を行うことができる。このようにすることで、ボウル部２内に溜めた水と、便器１の外部の冷たい空気によって冷やされた便蓋５との温度差を低減させることができる。
【００５３】
よって、便器１を設置した場所の室温が低い場合であっても、ボウル部２内に溜めた水と便蓋５との温度差を低減させて、便蓋５の裏面に結露が発生することを抑制し、便座４の座面がその結露によって濡れてしまうことを防止できる。また、ボウル部２内の水を一旦排水する際に、ボウル部２と便座４の間の隙間や、便座４と便蓋５の間の隙間から、便器１の外部の冷たい空気がボウル部２内に引き込まれて、ボウル部２内の空気の温度及び湿度が下がる。そのため、便蓋５裏面付近の空気の温度及び湿度が下がるので、便蓋５裏面への結露の発生をさらに抑えることができるものとなっている。
【００５４】
なお、温度センサ７は結露が発生する便蓋５の温度を直接計測できるので、所定の値Ｔ１を正確に設定し、制御部８での排水給水制御を効率良く行うことができる。
【００５５】
また、本実施形態の便器１は、水が溜められるボウル部２と、ヒータ３を備えた便座４と、便蓋５と、を備えた便器１である。この便器１は、さらに、ボウル部２に溜まった水の温度を検出する水温センサ６と、便器１を設置した場所の室温を検出する室温センサ７０とを備える。そして、水温センサ６で検出した温度が室温センサ７０で検出した温度より所定の値Ｔ２以上高い場合に、ボウル部２に溜まった水を一旦排水しボウル部２に再度給水する制御を行う制御部８を備えることを特徴とする。
【００５６】
このような構成とすることで、便器１のボウル部２に溜まった水の温度が便器１を設置した場所の気温よりも所定の値Ｔ２以上高い場合に、制御部８でボウル部２に溜まった温かくなった水を一旦排水し、冷たい水を再度給水する制御を行うことができる。このようにすることで、ボウル部２内に溜めた水と、便器１の外部の冷たい空気によって冷やされた便蓋５との温度差を低減させることができる。
【００５７】
よって、便器１を設置した場所の室温が低い場合であっても、ボウル部２内に溜めた水と便蓋５との温度差を低減させて、便蓋５の裏面に結露が発生することを抑制し、便座４の座面がその結露によって濡れてしまうことを防止できる。
【００５８】
なお、便座４の便座温度を設定する際等に比較される室温（便器１を設置した場所の温度）を検出する室温センサ７０を用いて、便蓋５の温度を間接的に検出するようにしたことで、便蓋５の温度を検出するためだけの温度センサ７を別途設けなくてもよく、部品数を減らすことができる。
【００５９】
最後に、本発明の第一及び第二の実施形態の変更例について説明する。
【００６０】
第一及び第二の実施形態において、ボウル部２は樹脂で形成していたが、陶器で形成してもよい。その場合、水温センサ６で検出した温度と、陶器の厚さや熱の伝わり具合から、ボウル部２に溜めた水の温度を正確に算出できるようにすればよい。
【００６１】
また、第一及び第二の実施形態において、水温センサ６は、ボウル部２の裏面に設けてボウル部２を介して間接的にボウル部２に溜めた水の温度を検出していたが、ボウル部２の表面（水を溜める側の面）に設けて、この溜めた水を直接検出するようなものであってもよい。
【００６２】
また、第一及び第二の実施形態の便器１は、ボウル部２の裏側に凍結防止用ヒータ９を設けた、寒冷地で設置されるタイプのものであったが、凍結防止用ヒータ９を設けていないものであってもよい。例えば、日中の暖かい気温によりボウル部２に溜めた水が温められ、夜間または朝方の冷え込みにより便蓋５近傍の温度が下がる季節には、ボウル部２に溜めた水の温度が、便器１を設置した場所の気温より所定温度以上高くなってしまうことがある。その場合も、制御部８が制御して、この温度差を低減させることができる。
【００６３】
また、第一及び第二の実施形態においては、温度センサ７あるいは室温センサ７０のいずれか一方と、水温センサ６を比較して、制御部８を設定したが、温度センサ７及び室温センサ７０の両方と、水温センサ６を比較して、制御部８を設定するようにしても構わない。その場合、水温センサ６の検出温度が温度センサ７の検出温度よりも所定の値Ｔ１以上高い場合と、水温センサ６の検出温度が室温センサ７０の検出温度よりも所定の値Ｔ２以上高い場合の、少なくとも一方に当てはまる場合に、便座加温用ヒータ３を水温センサ６の検出温度よりも所定の値Ｔ３以上高くなるよう昇温制御するように制御部８を設定すればよい。
【００６４】
また、温度センサ７と室温センサ７０は、両方あってもよいし、片方だけであってもかまわない。
【００６５】
また、第二の実施形態の制御部８は、上述した排水給水制御を行うとともに、第一の実施形態の制御部８と同様の昇温制御をするように設定してもよい。
【００６６】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００６７】
１      便器
２      ボウル部
３      ヒータ
４      便座
５      便蓋
６      水温センサ
７      温度センサ
７０    室温センサ
８      制御部
【図１】
2012067577.tif 000004
【図２】
2012067577.tif 000005
【図３】
2012067577.tif 000006